(57)【要約】  ハウジング（１８）を伴う剃毛刃ユニット（１０）であって、ハウジング（１８）は、下面（５２）と上面（６０）とを有し、上面から下面まで延びる一対の細長い離間配置された開口部（６４、６６）を画定している。少なくとも１つの刃（２０）がハウジングに取り付けられている。刃は、一対の開口部と略平行に延びる刃縁（２１）を有する。固体ポリマー潤滑部材（２５）は、上部皮膚接触面（４０）及び対向する基部（５０）を有する。一対の対突出部（５４、５６）は、基部から延びている。各突出部は、拡大末端部（５８、５９）を有する。突出部の拡大末端部はそれぞれ、対応する開口部の寸法よりも大きい寸法を有し、それによって、突出部を対応する開口部内に挿入するとハウジングの前壁（６８）が歪んで、拡大末端部のそれぞれがハウジングの下面と嵌合する。固体ポリマー潤滑部材及び拡大末端部は、水溶性ポリマーから成形される。
2016508408.tif 000002
【特許請求の範囲】
【請求項１】
剃毛刃ユニットであって、
下面（５２）と上面（６０）とを有し、前記上面から前記下面まで延びる一対の細長い離間配置された開口部（６４、６６）が画定されたハウジング（１８）と、
前記ハウジングに取り付けられた少なくとも１つの刃（２０）であって、前記一対の開口部と略平行に延びる刃縁（２１）を有する、少なくとも１つの刃と、
上部皮膚接触面（４０）及び対向する基部（５０）を有する固体ポリマー潤滑部材（２５）と、
前記基部から延びる突出部対（５４、５６）であって、各突出部は、拡大末端部（５８、５９）を有し、前記突出部の前記拡大末端部はそれぞれ、対応する前記開口部の寸法よりも大きい寸法を有し、前記突出部を前記対応する開口部内に挿入すると前記ハウジングの前壁（６８）が歪んで、前記拡大末端部のそれぞれが前記ハウジングの前記下面（５２）と嵌合し、前記固体ポリマー潤滑部材及び前記拡大末端部は、水溶性ポリマーから成形される、突出部対と、
を備える、剃毛刃ユニット。
【請求項２】
前記固体ポリマー潤滑剤は、前記ハウジングの前壁及び一対の内部側壁（７０、７２）によって画定されるポケット（６２）内に位置する、請求項１に記載の剃毛刃ユニット。
【請求項３】
前記ポケットは、前記少なくとも１つの刃の前方に位置するエラストマー部材（３０）によって更に画定される、請求項１又は２に記載の剃毛刃ユニット。
【請求項４】
各突出部は、前記突出部の一方から前記固体ポリマー潤滑部材の対応する横縁部（５７）まで測定された距離よりも長い長さを有する、請求項１から３のいずれか一項に記載の剃毛刃ユニット。
【請求項５】
各突出部は、前記突出部間の距離よりも長い長さを有する、請求項１から４のいずれか一項に記載の剃毛刃ユニット。
【請求項６】
前記少なくとも１つの刃と前記固体ポリマー潤滑部材との間に複数のフィン（３２）を有するエラストマー部材を更に備える、請求項１から５のいずれか一項に記載の剃毛刃ユニット。
【請求項７】
前記固体ポリマー潤滑部材は、前記フィンの前方にある細長い部分と、前記細長い部分から前記少なくとも１つの刃に向かって延びる一対の横端部と、を有する、請求項６に記載の剃毛刃ユニット。
【請求項８】
前記フィンは、前記固体ポリマー潤滑部材の前記一対の横端部間に位置する、請求項７に記載の剃毛刃ユニット。
【請求項９】
前記少なくとも１つの刃を前記ハウジングに固定するクリップ（２６）を更に備え、前記固体ポリマー潤滑部材の前記横端部の少なくとも一方は、前記クリップと軸方向に位置合わせされている、請求項１から８のいずれか一項に記載の剃毛刃ユニット。
【請求項１０】
前記少なくとも１つの刃を前記ハウジングに固定する一対の金属クリップ（２６）を更に備え、前記固体ポリマー潤滑部材の前記一対の横端部は、対応するクリップと軸方向に位置合わせされている、請求項１から９のいずれか一項に記載の剃毛刃ユニット。
【請求項１１】
前記エラストマー部材は、前記少なくとも１つの刃と前記固体ポリマー潤滑部材との間に複数のフィンを有し、前記固体ポリマー潤滑部材の上部皮膚接触面（４０）は、前記フィンの前方にある細長い部分（４４）と、前記細長い部分から前記少なくとも１つの刃に向かって延びる一対の横端部（４６、４８）と、を有する、請求項１から１０のいずれか一項に記載の剃毛刃ユニット。
【請求項１２】
前記フィンは、前記固体ポリマー潤滑部材の前記一対の横端部間に位置する、請求項１１に記載の剃毛刃ユニット。
【請求項１３】
前記少なくとも１つの刃を前記ハウジングに固定する一対のクリップを更に備え、前記固体ポリマー潤滑部材の前記一対の横端部は、前記クリップに直接隣接する、請求項１１又は１２に記載の剃毛刃ユニット。
【請求項１４】
前記クリップは、前記固体ポリマー潤滑部材の前記一対の横端部と軸方向に位置合わせされている、請求項１３に記載の剃毛刃ユニット。
【請求項１５】
ガードは、前記固体ポリマー潤滑部材から離間配置されて、細長い間隙（３４）を画定している、請求項１から１４のいずれか一項に記載の剃毛刃ユニット。
【発明の詳細な説明】
【技術分野】
【０００１】
本発明は、剃毛カミソリに関し、より詳細には、ハウジングと、ハウジングに固定された潤滑部材と、を有する剃毛カミソリカートリッジに関する。
【背景技術】
【０００２】
一般的に、湿式剃毛タイプの剃毛カミソリは、カートリッジが取り付けられた柄部によって剃毛すべき皮膚の表面に渡って動かす、刃先を伴う少なくとも１つの刃を有するカートリッジ又は刃ユニットを含む。カートリッジは、刃の切れ味が不充分な程度にまで落ちた時点でそのカートリッジを新しいカートリッジに交換することができるように柄部に着脱可能に装着されてもよく、あるいは、刃が鈍くなった時点でカミソリ全体を廃棄することを意図して柄部に永久的に取り付けられてもよい。かみそりのカートリッジは、通常、刃の正面にある皮膚と接触するガードと、剃毛中に刃の背後にある皮膚と接触するキャップと、を含む。キャップ及びガードは、剃毛中の皮膚に対する刃の配向及び位置を決定するパラメータであるいわゆる「剃毛ジオメトリ」の確立を助け、このパラメータは、かみそりの剃毛性能及び有効性に強く影響する。ガードは概して剛性であってもよく、例えば、刃のための支持を提供するフレーム又はプラットフォーム構造とともに一体化形成される。
【０００３】
湿式剃毛タイプの剃毛カミソリを用いる際、皮膚に渡って生じるカミソリの摩擦抵抗、毛を切断するのに必要な力、及び炎症又は既存の皮膚損傷などの要因によって、ある程度の剃毛不快感が形成される可能性がある。例えば剃毛補助をカミソリの１又は複数の押出成形又は成形されたポリマー部品内に取り入れることによって、剃毛補助、例えば、潤滑剤、ウィスカ柔軟剤、カミソリクレンザー、薬剤、化粧剤、又はそれらの組み合わせをカミソリ内に取り入れてきた。このような剃毛補助合成物は、カミソリカートリッジのキャップ又はガード構造上に取り付けられる場合がある。水にさらすと、水溶性剃毛補助が合成物から皮膚上に浸出して、合成物が膨潤する傾向がある。
【０００４】
剃毛補助合成物を確実に固定して、効果的な分配がカミソリの有効剃毛寿命の全体を通して行なわれるようにしなければならない。剃毛中の力が、剃毛補助成分がカートリッジから放出される一因となる場合がある。加えて、消費者は、剃毛後に湿式剃毛カートリッジをバスルームタブ又はカウンタートップに保管する場合がある。したがって、湿式剃毛補助成分がバスルームタブ又はカウンタートップに貼り付く場合がある。そして消費者は、カートリッジをカウンタートップ又はバスルームタブから取り外そうと試みるときに、剃毛補助又はカートリッジを損傷する場合がある。剃毛カミソリカートリッジに接着剤によって固定される、多くの押出成形又は成形された剃毛補助成分が開発されている。これらの配置は、特定の用途に対しては不満足なものであった。接着剤は通常、いくつかの理由で選択するには不十分である。接着剤は、製造上の観点から取り扱いが難しく、また熱及び湿度の変化の影響も受けやすい。
【０００５】
ある特定の国では、剃毛カミソリは、出荷及び貯蔵中に一定の高いレベルの熱及び湿度にさらされる。これらの熱及び湿度のレベルが粘着性に悪影響を与えて、潤滑成分がもはや固定されなくなる可能性がある。種々の圧入タイプのデザインも、剃毛補助成分を剃毛カミソリのカートリッジに固定するために開発されている。種々の圧入タイプのデザインは、ある特定の用途では効果的でないことも分かっている。圧入デザインは、著しい量の力を剃毛補助合成物に印加して剃毛補助合成物をハウジング内に適切に固定することに依拠しており、これにより、剃毛補助合成物を壊す又は砕く場合がある。またこれらのデザインはそれほど効果的でもない。なぜならば、それらは、剃毛補助合成物の膨潤及び膨張に由来する力の変化に適応しないからである。これらのカートリッジデザインはまた、剃毛補助合成物との表面接触面積を増加させて剃毛補助合成物をカートリッジにより良好に固定することに依拠しており、そのため、カートリッジデザイン（例えばカートリッジのサイズ及び刃の配置）が限定される。
【発明の概要】
【発明が解決しようとする課題】
【０００６】
したがって、必要とされているのは、湿式剃毛カミソリカートリッジであって、カートリッジに固定された潤滑部材を有し、剃毛性能にもハウジングへの潤滑部材の固定にも悪影響を与えずに水分吸収及び膨潤が考慮されている、湿式剃毛カミソリカートリッジである。また潤滑部材を組み立てる製造方法であって、剃毛性能に悪影響を与えずに公差変動が考慮されている、方法を提供することも望ましい場合がある。湿式剃毛かみそりカートリッジアセンブリは、より簡単な構造であり、費用効果が高く、信頼性があり、耐久性があり、製造するのがより容易及び／又はより速く、並びに更に精密に組み立てるのがより容易及び／又はより速いことが好ましい。
【課題を解決するための手段】
【０００７】
一態様では、本発明の特徴は、概して、ハウジングを伴う剃毛刃ユニットであって、ハウジングは、下面と上面とを有し、上面から下面まで延びる一対の細長い離間配置された開口部が画定された、剃毛刃ユニットである。少なくとも１つの刃がハウジングに取り付けられている。刃は、一対の開口部対と略平行に延びる刃縁を有する。固体ポリマー潤滑部材は、上部皮膚接触面及び対向する基部を有する。突出部対は、基部から延びている。各突出部は、拡大末端部を有する。突出部の拡大末端部はそれぞれ、対応する開口部の寸法よりも大きい寸法を有し、それによって、突出部を対応する開口部内に挿入するとハウジングの前壁が歪んで、拡大末端部のそれぞれがハウジングの下面と嵌合する。突出部の拡大末端部は、水溶性ポリマーから成形される。必要に応じて、特定の実施形態には任意的に、ハウジングの前壁及び一対の内部側壁によって画定されるポケット内に位置する固体ポリマー潤滑剤が含まれてよい。また特定の実施形態には任意的に、少なくとも１つの刃の前方に位置するエラストマー部材によって更に画定されるポケットが含まれてよい。
【０００８】
別の態様では、本発明の特徴は、概して、下面及び上面を有するハウジングを伴う剃毛刃ユニットである。少なくとも１枚の刃がハウジングに取り付けられている。水溶性ポリマーからなる固体ポリマー潤滑部材が、刃の前方に位置する。固体ポリマー潤滑部材は上部皮膚接触面を有する。複数のフィンを有するエラストマー部材が、少なくとも１つの刃と固体ポリマー潤滑部材との間に位置する。固体ポリマー潤滑部材の上部皮膚接触面は、フィン及び一対の横端部の前方に細長い部分を有し、その一対の横端部は、細長い部分から少なくとも１つの刃に向かって延びている。必要に応じて、特定の実施形態には任意的に、固体ポリマー潤滑部材の一対の横端部間に位置するフィンが含まれてよい。また特定の実施形態では任意的に、少なくとも１つの刃をハウジングに固定する一対のクリップを有し、固体ポリマー潤滑部材の一対の横端部がクリップに直接隣接するようになっていてよい。クリップは、固体ポリマー潤滑部材の一対の横端部と軸方向に位置合わせされていてよい。
【図面の簡単な説明】
【０００９】
本明細書は、本発明とみなされる主題を特定して指摘し明確に請求する「特許請求の範囲」をもって結論とするが、本発明は、添付の図面と関連させた次の説明から更によく理解されると考えられる。
【図１】剃毛刃ユニットの１つの可能な実施形態の平面図である。
【図２】図１の剃毛刃ユニットの組立斜視図である。
【図３】概ね図１のライン３−３に沿って取った剃毛刃ユニットの断面図である。
【発明を実施するための形態】
【００１０】
図１を参照して、本開示の１つの可能な実施形態を剃毛刃ユニット１０を例示しながら示す。ある特定の実施形態では、剃毛刃ユニット１０を柄部（図示せず）から取り外しかつ取り除いてよい。剃毛刃ユニット１０は、全体的な所望のコスト及び性能に応じて、柄部に固定して又は旋回可能に取り付けられてよい。剃毛刃ユニット１０はまた、剃毛刃ユニット１０を旋回軸の周りに旋回可能に取り付けられる相互接続部材１６を含んでよい。剃毛刃ユニット１０は、ハウジング１８は、１又は複数の刃２０、ガード２２、キャップ２４、及び固体ポリマー潤滑部材２５を保持するハウジング１８を含んでよい。１又は複数の刃２０がガード２２とキャップ２４との間に位置していてよい。各刃２０は、キャップ２４及びガード２２と平行に延びる刃縁２１を有してよい。ガード２２及びキャップ２４は、剃毛面を画定してよい。ある特定の実施形態では、エラストマー部材３０は、ガード２２と固体ポリマー潤滑部材２５との間（すなわち、ガード２２の前方で固体ポリマー潤滑部材２５の後方）でハウジング１８に取り付けられてよい。ガード２２はセグメント化してもよく（図示したように）又は連続的なバールであってよい。
【００１１】
固体ポリマー潤滑部材２５は、１又は複数の水溶性ポリマー（例えば、ＰＯＬＹＯＸ（Ｄｏｗ  Ｃｈｅｍｉｃａｌから入手可能）として広く知られているポリエチレンオキシド）と非水溶性ポリマー（例えば、高衝撃ポリスチレン）との組み合わせから射出成形されてよい。射出成形された潤滑要素の形態での潤滑剤の送達は通常、潤滑要素が基材基部上に成形された三材料成形フレームを有する（例えば、Ｇｉｌｌｅｔｔｅ  Ｃｏｍｐａｎｙによって販売されるＶｅｎｕｓ  Ｅｍｂｒａｃｅ（登録商標））。複数の射出成形材料が種々の速度で冷える結果、反りが生じるので、このデザイン及び方法には、フレームのジオメトリを維持することが含まれる。単一の成形された潤滑棒（すなわち、一体部材）を、予め成形されたハウジング内に組み立てることで、多くの優位性が得られる。例えば、このアプローチによって、各要素を射出成形中に最適に制御することができるため、ジオメトリをより安定させることができ、これは、きれいで快適な剃毛を得るためには重要なことである。また固体ポリマー潤滑部材２５を射出成形することによって、より多くの種類の形状が可能になり（例えば、押出成形された潤滑棒と比べて）、また異なる表面テクスチャを加えることができる。しかし、固体ポリマー潤滑部材２５をハウジング１８に強く固定しなければならない。これは、剃毛中に固体ポリマー潤滑部材２５が膨潤すると、固体ポリマー潤滑部材２５がハウジング１８から分離する場合があるからである。
【００１２】
固体ポリマー潤滑部材２５の形状を、ハウジング１８への取り付けを容易にするために概ね薄型にし、その結果、ハウジング１８も薄型にすることができる。固体ポリマー潤滑部材２５は、上部皮膚接触面４０及び対向する下面（図示せず）を有してよい。上部皮膚接触面４０は、略Ｕ字形断面を有して、ユーザの皮膚に対する滑りを向上させ、感触をより快適にしてよい（例えば、押出成形された潤滑ストリップと比べて）。上部皮膚接触面４０は、細長い部分４４をエラストマー部材３０の前方に有してよい。細長い部分４４は、少なくとも１つの刃２０と平行に延びていてよい。一対の横端部４６、４８が、細長い部分４４から少なくとも１つの刃２０に向かって延びていてよい。一対の横端部４６、４８は、少なくとも１つの刃２０及び／又は上部皮膚接触面４０の細長い部分４４を横切るように延びていてよい。ある特定の実施形態では、上部皮膚接触面４０は滑らかであってよい。しかし、他の実施形態では、テキスト、テクスチャ、パターン、ライン、アイコン、又はチャネルを用いて、特定の美容又は機能上の効果（例えば皮膚伸張又は皮膚上での触知感触）を促すことが含まれていてよい。
【００１３】
１又は複数の刃２０を、ハウジング１８内に取り付けて、１又は複数のクリップ２６によって固定してよい。クリップ２６は、互いに平行であってよく、ハウジング内に延びて刃をハウジングに固定してよい。ワイヤーラッピング、冷間成形、ホットステーキング、インサート成形、及び接着剤が挙げられるが、これらに限定されない、当業者に知られている他の組み立て方法を用いて、１又は複数の刃２０をハウジング１８に固定してよい。固体ポリマー潤滑部材２５とクリップ２６との組み合わせによって、剃毛ストローク中の皮膚に対する剃毛刃ユニット１０の滑りが改善される場合がある。固体ポリマー潤滑部材２５の横端部４６、４８を、クリップ２６の前方に直接位置（例えば、直接隣接）させてよい。それに応じて、滑りが高まる場合がある。これは、固体ポリマー潤滑部材２５から放出される潤滑剤が、剃毛ストローク中に金属製クリップ２６上に直接堆積される場合があるからである。対応するクリップ２６を、組み立て中に横端部４６、４８から離間配置して、固体ポリマー潤滑部材２５が、使用中に水を吸収して膨張できるようにしてよい。固体ポリマー潤滑部材２５が膨潤すると、横端部はクリップ２６に接触する場合がある。クリップ２６を横端部と軸方向に位置合わせして、クリップ２６上に堆積される潤滑剤の量を向上させてよい。
【００１４】
ある特定の実施形態では、エラストマー部材３０は、少なくとも１つの刃と固体ポリマー潤滑部材２５との間に複数のフィン３２を有して、よりきれいな剃毛のために皮膚を伸ばしてよい。フィン３２は、少なくとも１つの刃２０、及び／又は固体ポリマー潤滑部材２５上の上部皮膚接触面４０の細長い部分４４と略平行に延びていてよい。エラストマー部材３０を横端部４６と横端部４８との間に位置させて、十分な量の滑り（例えば、潤滑）及び皮膚伸張を実現してよい。例えば、剃毛刃ユニット１０によって、ハウジング１８の側面に向かっての滑りが向上するとともに、刃２０の前方での（すなわち、ハウジング１８の中央部に向かっての）皮膚伸張が増える一方で、依然として刃２０の前方での潤滑が得られる場合がある。したがって、消費者は、刃２０の前方で皮膚が十分に伸張することによって達成されるきれいな剃毛を犠牲にすることなく、潤滑に由来する快適さの向上を経験する場合がある。ある特定の実施形態では、エラストマー部材３０は、固体ポリマー潤滑部材２５に直接接触していてよい（例えば、組み立て中か、又は固体ポリマー潤滑部材２５が水を吸収して膨潤する剃毛ストローク中に）。エラストマー部材３０と固体ポリマー潤滑部材２５との間隔が近接していることによって、より多くの潤滑剤がエラストマー部材３０上に堆積することが促される場合がある。ある特定の実施形態では、細長い間隙３４がガード２２とエラストマー部材３０（例えば、フィン３２の１つ）との間に位置していてよい。
【００１５】
ある特定の実施形態では、ハウジング１８は、Ｎｏｒｙｌ（商標）（Ｇｅｎｅｒａｌ  Ｅｌｅｃｔｒｉｃ  Ｐｌａｓｔｉｃｓ（今はＳＡＢＩＣ  Ｉｎｎｏｖａｔｉｖｅ  Ｐｌａｓｔｉｃｓ）によって開発された、ポリフェニレンオキサイド（ＰＰＯ）とポリスチレンとのブレンド）から成形されてよい。ハウジング１８は、約５０、６０、又は７０から９０、１１０、又は１２０のショアＡ硬度を有する他の半硬質ポリマーで成形されてよい。固体ポリマー潤滑部材２５は、ハウジング１８に取り付けられる別個の成形部品であってよい。固体ポリマー潤滑部材２５は、剃毛中の快適さを向上させるために、１又は複数の水浸出性剃毛補助材料を有する潤滑性剃毛補助合成物から成形されてよい。剃毛補助合成物として、１又は複数の皮膚潤滑水溶性ポリマー、例えば、ポリエチレンオキシド、ポリビニルピロリドン、ポリアクリルアミド、ヒドロキシプロピルセルロース、ポリビニルイミダゾリン、及びポリヒドロキシエチルメタクリレートが挙げられてよい。他の水溶性ポリマーとして、ＰＯＬＹＯＸ（Ｄｏｗ  Ｃｈｅｍｉｃａｌから入手可能）又はＡＬＫＯＸ（Ｍｅｉｓｅｉ  Ｃｈｅｍｉｃａｌ  Ｗｏｒｋｓ、京都、日本から入手可能）として広く知られているポリエチレンオキシドが挙げられてよい。これらのポリエチレンオキシドは、約１０万から６００万、例えば、約３０万から５００万の分子量を有してよい。ポリエチレンオキシドは、約５００万の平均分子量を有する、約４０から８０％のポリエチレンオキシド（例えば、ＰＯＬＹＯＸ  ＣＯＡＧＵＬＡＮＴ）と、約３０万の平均分子量を有する、約６０から２０％のポリエチレンオキシド（例えば、ＰＯＬＹＯＸ  ＷＳＲ−Ｎ−７５０）とのブレンドを含んでよい。ポリエチレンオキシドブレンドはまた、ＰＥＧ−１００などの低分子量（すなわち、ＭＷ＜１０，０００）ポリエチレングリコールの最大約１０重量％を含有してよい。
【００１６】
剃毛補助剤複合材料はまた、任意的に、シクロデキストリン（cylcodextrin）、ポリエチレングリコール（例えば、１から１０重量％）など低分子量の水溶性放出促進剤、架橋ポリアクリリック（例えば、２から７重量％）など水膨潤性放出促進剤、色材、酸化防止剤、防腐剤、殺菌剤、ひげ軟化剤、収れん剤、除毛剤、薬剤、コンディショニング剤、加湿剤、冷却剤などと皮膚鎮静剤との包接錯体を含んでよい。
【００１７】
図２を参照して、剃毛刃ユニット１０の斜視組立図を、ハウジング１８への固体ポリマー潤滑部材２５の組み立てを例示しながら示す。固体ポリマー潤滑部材２５は、下面５２を有する基部５０を含んでよい。固体ポリマー潤滑部材２５の下面５２（例えば、基部５０）は、長さ「Ｌ１」を有する少なくとも１つの突出部５４、５６を有してよい。ある特定の実施形態では、固体ポリマー潤滑部材２５は、２つの離間配置された突出部５４、５６を有してよい。１又は複数の突出部５４、５６の長さを、固体ポリマー潤滑部材２５の個々の突出部５６から横縁部５７までの距離「ｄ１」より長くして、ハウジング１８に対する固定を改善してよい。突出部５４、５６は、突出部の少なくとも一方の長さ「Ｌ１」より短い距離「ｄ２」だけ離間配置され得る。突出部５４、５６はそれぞれ、固体ポリマー潤滑部材２５をハウジング１８に固定する拡大末端部５８、５９を有してよい。拡大末端部５８、５９の長さは、対応する突出部５４、５６の全長Ｌ１に対応していてよい。拡大末端部５８、５９はそれぞれ、長さＬ１より短い幅「ｗ１」（刃を横切る方向に測定）を有してよい。例えば、ｗ１は、約０．７５ｍｍ、０．８５ｍｍ、又は１．０ｍｍから約１．１ｍｍ、１．２ｍｍ、又は１．３ｍｍであってよい。突出部５４、５６及び拡大末端部５８、５９の寸法及び間隔は、固体ポリマー潤滑部材２５が水を吸収して膨潤したときに固体ポリマー潤滑部材２５がハウジング１８から分離するのを防止するのに役立つ場合がある。例えば、水を吸収することによって、横端部５７がハウジングから剥がれる場合がある。
【００１８】
ハウジング１８は、ポケット６２を画定する上面６０を有してよい。またハウジング１８の上面６０は、ハウジング１８の前壁６８とエラストマー部材３０との間のポケット６２内に位置する少なくとも１つの開口部６４、６６を画定してよい。例えば、上面６０は、２つの離間配置された開口部６４、６６を画定してよく、これら開口部６４、６６は、フィン３２及び／又は少なくとも１つの刃２０と平行に延び、かつエラストマー部材３０の前方に位置する。開口部６４、６６は、ハウジングの上面６０から下面（図示せず）まで延びていてよい。以下でより詳細に説明するように、開口部６４、６６の寸法は、対応する突出部５４、５６の一方を受け入れるように設定してよい。開口部６４、６６はそれぞれ、その幅「ｗ２」より長い長さ「Ｌ２」（すなわち、刃２０と平行に測定）を有してよい。例えば、Ｌ２は、約１０ｍｍ、１１ｍｍ、又は１２ｍｍから約１３ｍｍ、１４ｍｍ、又は１５ｍｍであってよい。ある特定の実施形態では、ｗ２は、約０．７５ｍｍ、０．８５ｍｍ、又は１．０ｍｍから約１．１ｍｍ、１．２ｍｍ、又は１．３ｍｍであってよい。開口部６４、６６及び／又は拡大末端部５８、５９の長さ対幅の比を２：１よりも大きくして、固体ポリマー潤滑部材２５のハウジング１８に対する固定を改善してよい。ある特定の実施形態では、Ｌ２は、対応する突出部５４、５６及び／又は対応する拡大末端部５８、５９の長さよりも、約１５％から約４０％だけ大きくてよい。開口部６４、６６の長さと拡大末端部５８、５９の長さとの間の関係は、組み立て中の位置合わせとハウジングの前壁６８を歪めるのに必要な力の量とに影響する可能性があり、これは、高速組み立てに影響を与える場合がある。例えば、拡大末端部５８、５９の長さが、対応する開口部６４、６６の長さと類似しすぎていると、拡大末端部５８、５９が開口部６４、６６内で適切に位置合わせされない場合があるか、又は組み立て力が大きすぎる場合があり、その結果、拡大末端部５８、５９に損傷を与えることになる。開口部６４、６６を距離「ｄ３」だけ離間配置して、ハウジング１８の剛性を向上させるとともに、固体ポリマー潤滑部材２５が膨潤したときに固体ポリマー潤滑部材２５がハウジング１８を歪めることを防止してよい。例えば、単一の細長いスロットによってハウジング１８を過剰に可撓性にしてよく、固体ポリマー潤滑部材２５が使用中に嵌合を外してよい。
【００１９】
次に更に図３を参照して、固体ポリマー潤滑部材２５をハウジング１８に取り付けることについて、より詳細に説明する。図３に例示するのは、概ね図１のライン３−３に沿って取った剃毛刃ユニット１０の断面図である。固体ポリマー潤滑部材２５をハウジング１８に取り付けて、固体ポリマー潤滑部材２５の基部５０がポケット６２内に概ね配置されるようにしてよい。ポケット６２の形状は、固体ポリマー潤滑部材２５の形状に概ね対応していてよい。例えば、ハウジング１８の一対の側壁７０、７２及び前壁６８とエラストマー部材３０（例えば、エラストマー部材３０の前壁６８又はフィン３２）とが、固体ポリマー潤滑部材２５を囲んでよい。したがって、ハウジング１８は、剃毛中に固体ポリマー潤滑部材２５が水を吸収して膨潤したときに固体ポリマー潤滑部材２５を収容するのに役立つ場合がある。
【００２０】
固体ポリマー潤滑部材２５をポケット６２内に押圧してよい。突出部５４、５６の拡大末端部５８、５９とハウジング１８の開口部６４、６６との対応する角度として、ハウジングの前壁６８が変形するのを促す値を用いて、１又は複数の突出部５４、５６を、ハウジング１８の１又は複数の対応する開口部６４、６６内に押圧してよい。またハウジング１８の前壁６８を可撓性にして、多少の膨張が、固体ポリマー潤滑部材の水の吸収及び膨潤によって生じることを可能にしてよい。拡大末端部５８、５９は、対応する開口部６４、６６を通ってよく、ハウジング１８の下面７６と嵌合して固体ポリマー潤滑部材２５を所定の位置に固定し、固体ポリマー潤滑部材２５の下面５２が、ハウジング１８の平坦なシート面７４との接触を維持するようにしてよい。拡大末端部５８、５９は水にさらされる。これは、それらがハウジング１８の下面７６と嵌合するからである。固体ポリマー潤滑部材２５及び拡大末端部５８、５９は、前述した通り、水溶性ポリマーから成形される。そのため、拡大末端部はより多くの水を吸収して膨張し、固体ポリマー潤滑部材２５をハウジング１８から取り外すのに必要な力が増える。図３に示すように、固体ポリマー潤滑部材２５は、緩やかな傾斜を伴う前方への前縁を有してよい。緩やかな傾斜は、典型的なまっすぐな潤滑棒と比べて有利点となる場合がある。これは、固体ポリマー潤滑部材２５上での皮膚流れを促進すると同時に皮膚抵抗を下げる場合があるからである。
【００２１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【００２２】
相互参照されるか又は関連する全ての特許又は特許出願、及び本願が優先権又はその利益を主張する任意の特許出願又は特許を含む、本明細書に引用される全ての文書は、特に除外すること又は限定することを明言しないかぎりにおいて、その全容にわたって本明細書に援用するものである。いずれの文献の引用も、こうした文献が本明細書で開示又は特許請求されるすべての発明に対する先行技術であることを容認するものではなく、あるいは、こうした文献が、単独で、又は他のすべての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【００２３】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の「特許請求の範囲」で扱うものとする。
【図１】
2016508408.tif 000003
【図２】
2016508408.tif 000004
【図３】
2016508408.tif 000005
【国際調査報告】
2016508408.tif 000006
2016508408.tif 000007